(57)【要約】【課題】  異なる用い方で使用することができ、しかも、その使い分けを簡単に行うことができるネックレスを提供する。【解決手段】  ネックレス１は、ネックレス本体２と装飾体３とからなる。ここで、ネックレス本体２は、そのループが分離された各端に、磁力によって互いに接続され得る接続体２ａを有する。装飾体３は、接続体２ａ、２ａが挿入される貫通した孔３ａを有する。そして、接続体２ａ、２ａは、孔３ａの各側の開口からそれぞれ挿入されて、それら接続体２ａ、２ａ間の磁力により、孔３ａ内で当接するようにして接続される。【選択図】  図４
2006296510.tif 000002
【特許請求の範囲】
【請求項１】
ネックレス本体と装飾体とを備えるネックレスであって、
前記ネックレス本体は、そのループが分離された各端に、磁力によって互いに接続され得る接続体を有し、
前記装飾体は、前記接続体が挿入される孔を有し、その孔内で、前記接続体は、それら接続体間の磁力により、またはそれら接続体と前記装飾体との間の磁力により接続されることを特徴とするネックレス。
【請求項２】
前記孔は、前記接続体がぴったりと嵌まるように形成されていることを特徴とする請求項１に記載のネックレス。
【請求項３】
前記孔は、前記装飾体を貫通して形成され、前記接続体は、前記孔の各側の開口からそれぞれ挿入されて、それら接続体間の磁力により、前記孔内で当接するようにして接続されることを特徴とする請求項１または２に記載のネックレス。
【請求項４】
前記孔の開口には、その開口周縁を覆う覆い部材が設けられていることを特徴とする請求項１ないし３のいずれか１項に記載のネックレス。
【請求項５】
ループが分離された各端に、磁力によって互いに接続され得る接続体を有するネックレス本体に取り付けられる装飾体であって、
前記接続体が挿入される孔を有し、その孔内で、前記接続体が、それら接続体間の磁力により、またはそれら接続体とこの装飾体との間の磁力により接続されることを特徴とする装飾体。
【発明の詳細な説明】
【技術分野】
【０００１】
この発明は、クラスプ（留め金）としてマグネットを利用したネックレスおよび、そのネックレスに用いられる装飾体に関するものである。
【背景技術】
【０００２】
従来、ネックレスのクラスプとして、マグネットを用いたものがあった。すなわち、このネックレスは、そのループが分離された各端に、クラスプとなる、マグネットを備えた接続体が取り付けられていた。そして、これら接続体のマグネットの磁力により、接続体が互いに接続された。
【発明の開示】
【発明が解決しようとする課題】
【０００３】
ところで、前記従来のネックレスにあっては、接続体にマグネットを用いたことで着脱が容易となっているものの、接続体が露出しているため、それら接続体を首のうしろ側に回して用いるというように、その用いられ方が限られていた。
【０００４】
この発明は、上記した従来の欠点を解決するためになされたものであり、その目的とするところは、異なる用い方で使用することができ、しかも、その使い分けを簡単に行うことができるネックレスおよび、そのネックレスに用いられる装飾体を提供することにある。
【課題を解決するための手段】
【０００５】
この発明に係るネックレスおよび装飾体は、前記目的を達成するために、次の構成からなる。すなわち、
請求項１に記載の発明に係るネックレスは、ネックレス本体と装飾体とを備えるネックレスであって、前記ネックレス本体は、そのループが分離された各端に、磁力によって互いに接続され得る接続体を有する。そして、前記装飾体は、前記接続体が挿入される孔を有し、その孔内で、前記接続体は、それら接続体間の磁力により、またはそれら接続体と前記装飾体との間の磁力により接続される。
【０００６】
このネックレスは、ネックレス本体のループが分離された各端に設けられた接続体を、磁力によって互いに連結することで、このネックレスを、装飾体なしで、すなわちネックレス本体のまま用いることが可能となる。もっとも、この場合には、接続体が露出するため、その接続体を首のうしろに回して使用するのが望ましい。そして、装飾体を用いる場合には、その装飾体に設けられた孔に、接続体を挿入することで、接続体は、それら接続体間の磁力により、またはそれら接続体と装飾体との間の磁力により接続される。こうして、接続体は、直接、または装飾体を介して接続され、さらに、この接続により、装飾体は、ネックレス本体に取り付けられる。ここにおいて、接続体は、装飾体の孔に挿入されて、その装飾体によって隠されるため、接続体を装飾体とともに首の前に回しても見栄えがよい。しかも、孔によって、装飾体に対する接続体の、孔の軸方向と直交する方向（径方向等）のずれが制限されるため、これら接続体の接続が確実に行われる。
【０００７】
また、請求項２に記載の発明に係るネックレスのように、請求項１に記載のネックレスにおいて、前記孔は、前記接続体がぴったりと嵌まるように形成されているのが望ましい。このように、装飾体の孔に接続体がぴったりと嵌まることで、装飾体に対する接続体の、孔の軸方向と直交する方向（径方向等）のずれが抑えられ、これら接続体の接続が一層確実となる。
【０００８】
また、請求項３に記載の発明に係るネックレスのように、請求項１または２に記載のネックレスにおいて、前記孔は、前記装飾体を貫通して形成され、前記接続体は、前記孔の各側の開口からそれぞれ挿入されて、それら接続体間の磁力により、前記孔内で当接するようにして接続されてもよい。
【０００９】
また、請求項４に記載の発明に係るネックレスのように、請求項１ないし３のいずれか１項に記載のネックレスにおいて、前記孔の開口には、その開口周縁を覆う覆い部材が設けられてもよい。
【００１０】
また、請求項５に記載の発明に係る装飾体は、ループが分離された各端に、磁力によって互いに接続され得る接続体を有するネックレス本体に取り付けられる装飾体である。この装飾体は、前記接続体が挿入される孔を有し、その孔内で、前記接続体が、それら接続体間の磁力により、またはそれら接続体とこの装飾体との間の磁力により接続される。
【００１１】
この装飾体によると、装飾体に設けられた孔に、ネックレス本体のループが分離された各端に設けられた接続体を挿入することで、接続体は、それら接続体間の磁力により、またはそれら接続体と装飾体との間の磁力により接続される。こうして、接続体は、直接、または装飾体を介して接続され、さらに、この接続により、装飾体は、ネックレス本体に取り付けられる。ここにおいて、接続体は、装飾体の孔に挿入されて、その装飾体によって隠されるため、接続体を装飾体とともに首の前に回しても見栄えがよい。しかも、孔によって、装飾体に対する接続体の、孔の軸方向と直交する方向（径方向等）のずれが制限されるため、これら接続体の接続が確実に行われる。ところで、ネックレス本体は、接続体を、磁力によって互いに連結することで、このネックレスを、装飾体なしで、すなわちネックレス本体のまま用いることが可能となる。もっとも、この場合には、接続体が露出するため、その接続体を首のうしろに回して使用するのが望ましい。
【発明の効果】
【００１２】
この発明に係るネックレスおよび装飾体によれば、装飾体により接続体を隠して用いたり、装飾体なしで用いるというように、異なる用い方で使用することができ、しかも、磁力を利用して接続することで、その使い分けを簡単に行うことができる。
【発明を実施するための最良の形態】
【００１３】
以下、この発明を実施するための最良の形態を図面に基づいて説明する。
【００１４】
図１ないし図４は、本発明の一実施の形態を示す。図中符号１は、ネックレスである。２は、ネックレス本体、そして、３は、ネックレス本体２に取り付けられる装飾体である。すなわち、ネックレス１は、ネックレス本体２と装飾体３とを備えている。
【００１５】
ここで、ネックレス本体２は、そのループが分離された各端に、クラスプ（留め金）として、磁力によって互いに接続され得る接続体２ａを有する。一方、装飾体３は、接続体２ａ、２ａが挿入される孔３ａを有する。この孔３ａは、接続体２ａ、２ａがぴったりと嵌まるように形成されている。そして、装飾体３の孔３ａ内で、接続体２ａ、２ａは、それら接続体２ａ、２ａ間の磁力により接続される。
【００１６】
具体的には、ネックレス本体２は、例えば、多数の小粒の真珠２ｂ、２ｂが、紐とか糸等からなる線材２ｃに通されて繋がった真珠のネックレスである。そして、線材２ｃの各端に接続体２ａが固定されている。この接続体２ａは、円柱形状に形成されており、内部には、マグネットが埋め込まれている。そして、このマグネットによる磁力の作用で、接続体２ａ、２ａは、互いに、分離可能に接続される。
【００１７】
装飾体３は、例えば、大粒の真珠からなる。この装飾体３の孔３ａは、装飾体３を貫通して形成されている。そこで、接続体２ａ、２ａは、孔３ａの各側の開口からそれぞれ挿入されて、それら接続体２ａ、２ａ間の磁力により、孔３ａ内で当接するようにして接続される。なお、孔３ａの開口には、その開口周縁を覆う覆い部材４が設けられている。この覆い部材４は、内側が孔３ａを構成するように筒状に形成された円筒部４ａと、その円筒部４ａの一方端から張り出した鍔部４ｂとからなる。すなわち、装飾体３は、装飾体本体５となる真珠と、覆い部材４とからなり、その覆い部材４の円筒部４ａが孔３ａに挿入され、鍔部４ｂが、装飾体本体５の表面を覆うように張り出している。そして、この覆い部材４は、装飾体本体５に、接着等により固定される。
【００１８】
次に、以上の構成からなる装飾体３を備えるネックレス１の作用効果について説明する。このネックレス１は、ネックレス本体２のループが分離された各端に設けられた接続体２ａ、２ａを、磁力によって互いに連結することで、このネックレス１を、装飾体３なしで、すなわちネックレス本体２のまま用いることが可能となる（図２参照）。もっとも、この場合には、接続体２ａ、２ａが露出するため、その接続体２ａ、２ａを首のうしろに回して使用するのが望ましい。そして、装飾体３を用いる場合には、図３および図４に示すように、装飾体３に設けられた孔３ａに、接続体２ａ、２ａを挿入することで、接続体２ａ、２ａは、それら接続体２ａ、２ａ間の磁力により接続される。こうして、接続体２ａ、２ａは、直接接続され、さらに、この接続により、装飾体３は、ネックレス本体２に取り付けられる。ここにおいて、接続体２ａ、２ａは、装飾体３の孔３ａに挿入されて、その装飾体３によって隠されるため、接続体２ａ、２ａを装飾体３とともに首の前に回しても見栄えがよい。このように、このネックレス１は、装飾体３により接続体２ａ、２ａを隠して用いたり、装飾体３なしで用いるというように、異なる用い方で使用することができ、しかも、磁力を利用して接続することで、その使い分けを簡単に行うことができる。
【００１９】
また、装飾体３を用いた場合は、孔３ａによって、装飾体３に対する接続体２ａ、２ａの、孔３ａの軸方向と直交する方向（径方向等）のずれが制限されるため、これら接続体２ａ、２ａの接続が確実に行われる。しかも。図示実施の形態においては、装飾体３の孔３ａに接続体２ａ、２ａがぴったりと嵌まることで、装飾体３に対する接続体２ａ、２ａの前記ずれが抑えられ、これら接続体２ａ、２ａの接続が一層確実となる。
【００２０】
そして、装飾体３においては、覆い部材４によって、孔３ａの開口周縁における装飾体本体５を保護することができ、また、この覆い部材４による装飾の効果も期待できる。
【００２１】
なお、本発明は、上述した実施の形態に限定されるわけではなく、その他種々の変更が可能である。例えば、ネックレス本体２は、真珠のネックレスでなくとも、各種の宝石を用いたネックレスとか、チェーンからなるネックレスとか、その他のネックレスであってもよい。また、装飾体３においても、真珠以外に、各種の宝石であったり、人工の物質であったりしてもよく、また、その形状も任意である。
【００２２】
また、図５に示すように、装飾体３に設けられた孔３ａは、貫通することなく、それぞれの側から明けられて、連通することのない二つの孔３ａ、３ａからなっていてもよい。そして、この場合には、当然に、接続体２ａ、２ａどうしは、孔３ａ、３ａを隔てる壁３ｂに遮られて当接することはないが、それら接続体２ａ、２ａは、壁３ｂを通した接続体２ａ、２ａ間の磁力により接続される。
【００２３】
また、図６に示すように、接続体２ａ、２ａは、それら接続体２ａ、２ａ間の磁力によるのではなく、それら接続体２ａ、２ａと装飾体３との間の磁力により接続されてもよい。すなわち、接続体２ａ、２ａは、装飾体３を介して接続されてもよく、この接続により、装飾体３は、ネックレス本体２に取り付けられる。そして、この例におていは、装飾体３における孔３ａ、３ａの底に、接続体２ａと引き合う鉄材等の強磁性体等からなる磁性部材６、６が設けられている。もっとも、この磁性部材６に替えて、接続体２ａと引き合うマグネットを設けてもよい。
【００２４】
また、図４に示す例においては、装飾体３に覆い部材４が設けられ、図５とか図６に示す例においては、装飾体３に覆い部材４が設けられていないが、これらの例に限定されるわけではなく、覆い部材４は、必要に応じて設けられる。
【００２５】
また、接続体２ａは、その全体が、装飾体３の孔３ａに挿入されるのが好ましいが、ほぼ全体が孔３ａに挿入されたり、一部が露出するようにして挿入されても構わない。
【００２６】
また、接続体２ａ、２ａには、いずれにも、マグネットが用いられているが、一方の接続体２ａにマグネットを用い、他方の接続体２ａに、鉄材等の強磁性体等からなる磁性部材を用いてもよい。
【図面の簡単な説明】
【００２７】
【図１】この発明の一実施の形態の、ネックレス本体と装飾体とを示す正面図である。
【図２】同じく、ネックレス本体を示す正面図である。
【図３】同じく、ネックレス本体に装飾体を取り付けた状態を示す正面図である。
【図４】同じく、図３における一部を破断した要部拡大図である。
【図５】この発明の他の実施の形態の、図４相当図である。
【図６】この発明のさらに他の実施の形態の、図４相当図である。
【符号の説明】
【００２８】
１  ネックレス
２  ネックレス本体
２ａ  接続体
３  装飾体
３ａ  孔
４  覆い部材
【図１】
2006296510.tif 000003
【図２】
2006296510.tif 000004
【図３】
2006296510.tif 000005
【図４】
2006296510.tif 000006
【図５】
2006296510.tif 000007
【図６】
2006296510.tif 000008